(57)【特許請求の範囲】
【請求項１】
吸引ダクトを介して排気装置に接続され、吸引口がブースの内壁面に対向する吸引フードを、ブースの内壁面に沿って移動させて、ブースの内壁面に付着している粉体塗料を、吸引フードの吸引口から吸引除去するようにした静電粉体塗装用ブースの壁面清掃装置において、上記吸引フードの外方に、ブースの内壁面と吸引フードの先端縁との間に形成される隙間に向けてエアーを噴出するエアーブローノズルを設置したことを特徴とする静電粉体塗装用ブースの壁面清掃装置。
【請求項２】
上記エアーブローノズルから噴出するエアーの向きが、ブースの内壁面に対して傾斜する請求項１記載の静電粉体塗装用ブースの壁面清掃装置。
【請求項３】
上記エアーブローノズルから噴出するエアーを、ブースの内壁面と吸引フードの先端縁との間の隙間に向ける整流板を、上記吸引フードの外方に設置したことを特徴とする請求項１又は２記載の静電粉体塗装用ブースの壁面清掃装置。
【請求項４】
上記エアーブローノズルから噴出するエアーを除電する除電装置電極を備える請求項１〜３のいずれかの項に記載の静電粉体塗装用ブースの壁面清掃装置。
【請求項５】
上記エアーブローノズルから噴出するエアーが上記除電装置電極から生じる電場内を通過し、上記エアが除電装置電極に直接当たらない位置に除電装置電極が設置されている請求項４に記載の静電粉体塗装用ブースの壁面清掃装置。
【発明の詳細な説明】
【０００１】
【発明の属する技術分野】
この発明は、静電粉体塗装用ブースの壁面清掃装置に関するものである。
【０００２】
【従来の技術】
静電粉体塗装用ブースの内壁面には、オーバースプレー粉が付着するため、色替えを行う際には、内壁面を清掃する必要がある。
【０００３】
従来、静電粉体塗装用ブースの内壁面を清掃する装置として、吸引ダクトを介して排気装置に接続されている吸引フードを、ブースの内壁面に沿って移動させて、内壁面に付着している粉体塗料を、吸引除去するようにしたものがある。
【０００４】
また、この種の壁面清掃装置には、図４に示すように、ブースの内壁面１に付着している粉体塗料を剥がしやすくするために、吸引フード２内に、ブースの内壁面１に向けてエアーを噴出するエアーブローノズル３を設置したものもある。
【０００５】
【発明が解決しようとする課題】
ところで、上記のように、吸引フード２内にエアーブローノズル３を設置した場合、エアーブローノズル３から噴出されるエアーと、吸引フード２の吸引エアーとが互いに逆向きになるため、エアーブローノズル３から噴出させるエアーが多量かつ高圧でなければ、内壁面１に付着している粉体塗料を十分に除去することができない。ところが、エアーブローノズル３から噴出させるエアーが多量かつ高圧であると、吸引フード２の吸引効果が悪くなり、粉体塗料が吸引フード２の外部に飛散するという問題が生じる。
【０００６】
そこで、この発明は、エアーブローノズル３から噴出させるエアー量を少なくしても、内壁面１に付着している粉体塗料の除去効果の高い、静電粉体塗装用ブースの壁面清掃装置を提供しようとするものである。
【０００７】
【課題を解決するための手段】
この発明は、吸引ダクトを介して排気装置に接続され、吸引口がブースの内壁面に対向する吸引フードを、ブースの内壁面に沿って移動させて、ブースの内壁面に付着している粉体塗料を、吸引フードの吸引口から吸引除去するようにした静電粉体塗装用ブースの壁面清掃装置において、上記吸引フードの外方に、ブースの内壁面と吸引フードの先端縁との間に形成される隙間に向けてエアーを噴出するエアーブローノズルを設置したものである。
【０００８】
このように、エアーブローノズルを吸引フードの外方に設置すると、吸引フード内の吸引力がエアーブローノズルのエアーによって弱められることがないし、エアーブローノズル自体も汚れない。
【０００９】
また、エアーブローノズルから噴出するエアーが、吸引フードの先端縁とブースの内壁面との間の隙間に向かって勢いよく流れ込むので、エアーブローノズルから噴出するエアーの量や圧力を低くしてもブースの内壁面に付着している粉体塗料の除去効果が高く、除去した粉体塗料がスムーズに吸引フードに流れ込み、粉体塗料の飛散が極力防止される。
【００１０】
【発明の実施の形態】
図１は、この発明に係る壁面清掃装置の第一の形態を示している。
【００１１】
吸引フード２は、樹脂パネル等によって形成されたブースの内壁面１に対向する吸引口を有し、清掃作業の際に、ブースの内壁面１に沿ってレール等に支持されて自動的に移動可能に設けられている。
【００１２】
上記吸引フード２は、吸引ダクト４を介して排気装置に接続されており、吸引口から除去した粉体塗料を吸引するようになっている。
【００１３】
上記吸引フード２の一方の側壁５の外面には、側壁５に沿ってエアーブローノズル３が取付けられ、吸引フード２と一体でエアーブローノズル３もブースの内壁面１に沿って移動するようになっている。
【００１４】
上記エアーブローノズル３は、ブースの内壁面１と吸引フード２の側壁５の先端縁との間に形成される隙間ａに、噴出エアーが向くように設置されている。
【００１５】
上記吸引フード２の両側壁５のうち、エアーブローノズル３を設置しない一方の先端は、できるだけブースの内壁面２に近接するようになっており、吸引フード２内に流入した粉体塗料が吸引フード２の外部に洩れ出さないようにしている。
【００１６】
上記吸引フード２の内部には、エアーブローノズル３から噴出するエアーを除電するための除電装置電極６が設置されている。除電装置電極６は、電極からプラスとマイナスの電荷を交互に発生し、粉体塗料とブースの内壁面１の静電気を中和する働きがあり、パネル面から剥がした粉体塗料がパネル面に再付着することを防止している。そして、この除電装置電極６は、上記のように、吸引フード２内に設置され、除電装置電極６自体にエアーブローノズル３から噴出するエアーが直接当たらないようにして、エアーの流れが乱されないようにし、除電装置電極６の電場内をエアーが通過するようにしている。
【００１７】
上記エアーブローノズル３のエアーの向きは、ブースの内壁面１に対して傾斜させるようにした方が、粉体塗料の除去効果が高く、除去した粉体塗料の吸引フード２への流入効果も高い。この傾斜角度はブースの内壁面に対して４５度〜８０度が好ましい。
【００１８】
次に、図２は、この発明に係る壁面清掃装置の第二の形態であり、このものは、吸引フード２の側壁５の外面に、エアーブローノズル３から噴出するエアーを、ブースの内壁面１と吸引フード２の側壁５の先端縁との間の隙間ａに向ける整流板７を設置している。
【００１９】
次に、図３は、この発明に係る壁面清掃装置の第三の形態であり、このものは、吸引フード２の両側壁５にそれぞれエアーブローノズル３と、除電装置電極６を設置している。
【００２０】
【発明の効果】
この発明によれば、以上のように、エアーブローノズルを吸引フードの外部に出し、エアーブローノズルから噴出するエアを、吸引フードの先端縁とブースの内壁面との間に隙間に向けることにより、エアーブローノズルから噴出するエアーの量や圧力を低くしても、エアーが上記隙間から吸引フード内に勢いよく流れ込むので、粉体塗料の除去効果が高く、吸引フード外への粉体塗料の飛散を極力防止することができるという効果がある。
【図面の簡単な説明】
【図１】この発明に係る壁面清掃装置の第一の形態を示す概略断面図
【図２】同上の第二の形態を示す概略断面図
【図３】同上の第三の形態を示す概略断面図
【図４】従来例の概略断面図
【符号の説明】
１  ブースの内壁面
２  吸引フード
３  エアーブローノズル
４  吸引ダクト
５  側壁
６  除電装置電極
７  整流板
ａ  隙間
【図１】
0004346715.tif 000002
【図２】
0004346715.tif 000003
【図３】
0004346715.tif 000004
【図４】
0004346715.tif 000005